(57)【要約】      （修正有）【課題】多種類の射撃機能を備え、射撃の安定性を向上したエアガンの提供。【解決手段】エアガンＡの連動機構は、ハンマー開放部材Ｃ５と、ファイアリングピンスイッチＣ７と、ハンマー左スイッチＣ４と、ハンマー右スイッチＣ３と、ハンマー連動片Ｃ２と、トリガー連結部材Ｃ１とを含み、左セーフティ片を回動させることで、射撃制御機構を介して異なる射撃の機能を得ることができ、使用者の娯楽効果を向上することを特徴とする。【選択図】図７
0003129984.tif 000002
【実用新案登録請求の範囲】
【請求項１】
エアガンの連動機構であって、ハンマー開放部材と、ファイアリングピンスイッチと、ハンマー左スイッチと、ハンマー右スイッチと、ハンマー連動片と、トリガー連結部材とを含み、そのうち；
前記ハンマー開放部材は一端に受圧部が設けられ、且つ、バレルの溝槽で動作し、他端に軸穿通孔が設けられて前記バレルの上軸穿通孔と相互に対応し、また前記軸穿通孔から一端が延伸されて押し棒が設けられ、前記押し棒が前記ハンマー左スイッチの軸棒と相互に対応して動作し；
前記ファイアリングピンスイッチは一端に軸穿通孔が設けられ、前記ハンマー開放部材の軸穿通孔に対応し、また他端が延伸されて受圧体が設けられ、前記受圧体が前記バレルの凹部で動作し；
前記ハンマー左スイッチは一端に軸孔が設けられ、前記軸孔が前記ファイアリングピンスイッチの軸穿通孔に対応し、また一端に軸棒が延伸されて設けられ、且つ、他方の側に当接面が形成され、前記当接面がハンマー座部弾性片の第一弾性部と相互に当接され；
前記ハンマー右スイッチは一端に軸孔が設けられ、前記ファイアリングピン連結部材の長軸孔と相互に対応し、前記軸孔の一端の側縁に軸棒が延伸されて設けられ、且つ、前記軸棒が前記ハンマー連動片の軸スライド孔内に挿入され、往復の動作を行なうことができ；
前記ハンマー連動片は一端に通孔が設けられ、前記ハンマー右スイッチと相互に対応し、また他端に軸スライド孔が設けられ、前記軸スライド孔の側縁に牽動部が延伸されて設けられ、前記牽動部が右セーフティ片の嵌合槽と相互に対応して動作し；
前記トリガー連結部材は一端に突起体が設けられ、前記突起体が前記ハンマー連動片の第一接触面及び第二接触面と相互に対応して動作するために用いられ；
左セーフティ片を回動させることで、射撃制御機構を介して異なる射撃の機能を得ることができ、使用者の娯楽効果を向上することを特徴とする、エアガンの連動機構。        
【請求項２】
左セーフティ片の回動により、セーフティ、単発及び連発射撃機能を得ることができる、請求項１に記載のエアガンの連動機構。
【請求項３】
前記ファイアリングピン連結部材の一端がファイアリングピン連動座部、ファイアリングピンと相互に嵌合され、トリガーを引くと、ハンマーが前記ファイアリングピン連結部材のファイア面に衝突する、請求項１に記載のエアガンの連動機構。
【請求項４】
前記射撃制御機構がトリガー連結部材、ハンマー連動片、ハンマー右スイッチ、ハンマー左スイッチ、ハンマー開放部材、ファイアリングピン連結部材及びファイアリングピンスイッチから成り、且つ相互に対応して動作する、請求項１に記載のエアガンの連動機構。
【考案の詳細な説明】
【技術分野】
【０００１】
本考案はエアガンの連動機構に関し、左セーフティ片を回転させるとエアガンにセーフティ、単発及び連発の機能を持たせることができ、これら機能は射撃制御機構により動作されると共に、使用者の娯楽効果を高めることができる、エアガンの連動機構に関する。
【背景技術】
【０００２】
一般的な従来のエアガンは単発及びセーフティの機能を備えており、そのうち、単発の射撃機能はハンマー左スイッチにより制御され、単発射撃機能のエアガンとしての機能に固定されており、連発の機能は備えておらず、エアガンの連発射撃機能を使用したい場合は別途連発機能を備えたエアガンを購入しなければその娯楽効果を達することができず、これではエアガンを購入する費用が浪費となる。
【０００３】
このため、いかに上述の問題を排除するかが本考案の解決する技術的問題点である。
【考案の開示】
【考案が解決しようとする課題】
【０００４】
本考案の目的は、多種類の射撃機能を備え、射撃の安定性を向上したエアガンを提供することにある。      
【課題を解決するための手段】
【０００５】
本考案のエアガンの連動機構は、ハンマー開放部材と、ファイアリングピンスイッチと、ハンマー左スイッチと、ハンマー右スイッチと、ハンマー連動片と、トリガー連結部材とを含み、そのうち；
前記ハンマー開放部材は一端に受圧部が設けられ、且つ、バレルの溝槽で動作し、他端に軸穿通孔が設けられて前記バレルの上軸穿通孔と相互に対応し、また前記軸穿通孔から一端が延伸されて押し棒が設けられ、前記押し棒が前記ハンマー左スイッチの軸棒と相互に対応して動作し；
前記ファイアリングピンスイッチは一端に軸穿通孔が設けられ、前記ハンマー開放部材の軸穿通孔に対応し、また他端が延伸されて受圧体が設けられ、前記受圧体が前記バレルの凹部で動作し；
前記ハンマー左スイッチは一端に軸孔が設けられ、前記軸孔が前記ファイアリングピンスイッチの軸穿通孔に対応し、また一端に軸棒が延伸されて設けられ、且つ、他方の側に当接面が形成され、前記当接面がハンマー座部弾性片の第一弾性部と相互に当接され；
前記ハンマー右スイッチは一端に軸孔が設けられ、前記ファイアリングピン連結部材の長軸孔と相互に対応し、前記軸孔の一端の側縁に軸棒が延伸されて設けられ、且つ、前記軸棒が前記ハンマー連動片の軸スライド孔内に挿入され、往復の動作を行なうことができ；
前記ハンマー連動片は一端に通孔が設けられ、前記ハンマー右スイッチと相互に対応し、また他端に軸スライド孔が設けられ、前記軸スライド孔の側縁に牽動部が延伸されて設けられ、前記牽動部が右セーフティ片の嵌合槽と相互に対応して動作し；
前記トリガー連結部材は一端に突起体が設けられ、前記突起体が前記ハンマー連動片の第一接触面及び第二接触面と相互に対応して動作するために用いられ；
左セーフティ片を回動させることで、射撃制御機構を介して異なる射撃の機能を得ることができ、使用者の娯楽効果を向上することを特徴とする。
【考案の効果】
【０００６】
本考案の進歩性と実用性をより明らかにするため、以下、従来品と比較して分析する。
《従来品の欠点》
一、            
単発機能に限定される。
二、            
多種類の射撃機能を得るには、別途連発射撃機能を備えたエアガンを購入しなければならない。
三、            
第二点を受け、エアガンの購買費用の浪費を招く。
《本考案の利点》
一、左セーフティ片の回動により、射撃制御機構を介して異なる射撃機能を得ることができる。
二、エアガンの連発時、ファイアリングピンスイッチによりエアガンの射撃の安定性を高めることができる。
三、交換コストを節約できる。
四、使用者の娯楽性をより満足させることができる。
五、進歩性と実用性を備えている。
六、産業的競争力を向上できる。
【考案を実施するための最良の形態】
【０００７】
以下、本考案について図面、符号及び実施例に基づき詳細に説明する。本考案のエアガン連動機構は、図１、図２、図３に示すように、フレームＡ１、スライドＡ２、グリップＡ３、トリガーＡ４、ハンマーＢ及び左セーフティ片Ｅから構成される。
【０００８】
前記エアガンＡのフレームＡ１は一端にグリップＡ３が設けられ、これを使用者が握って使用することができ、且つフレームＡ１上部に延伸されてスライドＡ２が設置され、このスライドＡ２は往復滑動の動作を行なうことができ、またフレームＡ１の片側に左セーフティ片Ｅが設置され、この左セーフティ片Ｅの回動によりセーフティ、単発及び連発の機能を得ることができ、さらに、フレームＡ１内にバレルＧが嵌め込まれ、且つ、フレームＡ１とバレルＧが相互に嵌合される箇所にセーフティ固定具Ｆが設置され、このセーフティ固定具Ｆは左セーフティ片Ｅにより動かされる。
【０００９】
前記左セーフティ片ＥはフレームＡ１の軸挿入孔Ａ５から内部に穿入され、且つバレルＧの下軸穿通孔Ｇ４及びハンマーＢの孔槽Ｂ１内に継続して延伸され、セーフティ右片Ｅ１と相互に係合される。左セーフティ片Ｅの一端には嵌合槽Ｅ２が設けられ、この嵌合槽Ｅ２はハンマー連動片Ｃ２の牽動部Ｃ２１と相互に嵌合するために用いられる。前記ハンマー連動片Ｃ２は一端に軸スライド孔Ｃ２２が設けられ、この軸スライド孔Ｃ２２にはハンマー右スイッチＣ３の軸棒Ｃ１８が挿入され、且つ、前記ハンマー右スイッチＣ３の軸棒Ｃ１８はハンマー連動片Ｃ２の軸スライド孔Ｃ２２で滑動することができる。さらに、ハンマー連動片Ｃ２の第一接触面Ｃ２３及び第二接触面Ｃ２４はトリガー連結部材Ｃ１の突起体Ｃ８に対応し、使用者がトリガーＡ４を引いたとき、トリガー連結部材Ｃ１の突起体Ｃ８を第一接触面Ｃ２３または第二接触面Ｃ２４で滑動させることができる。そのうち、トリガーＡ４はトリガー連結部材Ｃ１の小孔Ｃ２８に接続され、またトリガー連結部材Ｃ１の突起体Ｃ８が延伸され側縁部に突出部Ｃ９が設けられる。
【００１０】
バレルＧの溝槽Ｇ２及び凹部Ｇ３はハンマー開放部材Ｃ５の受圧部Ｃ１０及びファイアリングピンスイッチＣ７の受圧体Ｃ１４の動作に用いられ、ハンマー開放部材Ｃ５の受圧部Ｃ１０は延伸されて一端に押し棒Ｃ１２が設けられ、且つ、この押し棒Ｃ１２とハンマー左スイッチＣ４の軸棒Ｃ１６が相互に対応して動作する。ハンマー左スイッチＣ４の一側面に当接面Ｃ１７が設けられ、この当接面Ｃ１７にハンマー座部弾性片Ｈの第一弾性部Ｈ１が当接され、且つ、ハンマー座部弾性片Ｈの第二弾性部Ｈ２はファイアリングピン連動座部Ｄ１の当接面Ｄ６に当接されると共に、ハンマー座部弾性片Ｈの第三弾性部Ｈ３が同時にハンマー右スイッチＣ３及びハンマー連動片Ｃ２に当接される。さらに、前記ファイアリングピン連動座部Ｄ１の一端に通孔Ｄ５が設けられ、この通孔Ｄ５はファイアリングピン連結部材Ｃ６の軸心孔Ｃ２６及びファイアリングピンＤの軸心孔Ｄ４と相互に対応し、且つ、ファイアリングピン軸心Ｄ３が穿設されて固定され、さらに固定リングＤ２が嵌合され、脱落が防止される。
【００１１】
バレルＧ内には射撃制御機構Ｃが設けられ、この射撃制御機構Ｃはトリガー連結部材Ｃ１、ハンマー連動片Ｃ２、ハンマー右スイッチＣ３、ハンマー左スイッチＣ４、ハンマー開放部材Ｃ５、ファイアリングピン連結部材Ｃ６及びファイアリングピンスイッチＣ７を含み、且つ、相互間で動作を形成する。
【００１２】
射撃制御機構Ｃは前軸棒Ｇ５をハンマー開放部材Ｃ５の軸穿通孔Ｃ１１、ファイアリングピンスイッチＣ７の軸穿通孔Ｃ１３、ハンマー左スイッチＣ４の軸孔Ｃ１５、ファイアリングピン連結部材Ｃ６の長軸孔Ｃ２５、ハンマー右スイッチＣ３の軸孔Ｃ２９、ハンマー連動片Ｃ２の通孔Ｃ２０及びセーフティ右片固定部材Ｆ１に穿設し、且つバレルＧの上軸穿通孔Ｇ１に固定される。
【００１３】
本考案のエアガンの連動機構を図２、図４、図５に示す。前記フレームＡ１上にはスライドＡ２及びグリップＡ３が設けられ、スライドＡ２を後方へ引くとハンマーＢが弾込めの位置になり、トリガーＡ４を引くと射撃の機能が得られる。エアガンＡは左セーフティ片Ｅでセーフティ、単発、連発の機能を制御することができ、且つ、射撃の機能は射撃制御機構Ｃにより動作され、これにより使用者の娯楽効果を向上することができる。
【００１４】
図４、図５及び図６に示すように、前記ハンマー連動片Ｃ２及びハンマー右スイッチＣ３にはハンマー座部弾性片Ｈの第三弾性部Ｈ３（図２参照）が当接されており、エアガンＡをセーフティオンの状態とするときは、左セーフティ片Ｅをセーフティ機能の位置まで回転すると、左セーフティ片Ｅが同時に嵌合槽Ｅ２を動かし、且つハンマー連動片Ｃ２の牽動部Ｃ２１を動かしてハンマー連動片Ｃ２をセーフティオンの位置にする。
【００１５】
図１２、図１３及び図１４に示すように、使用者がスライドＡ２を後方へ引くと、ハンマー開放部材Ｃ５の受圧部Ｃ１０がスライドＡ２のスライド槽Ａ７により動かされ、ハンマー開放部材Ｃ５が圧縮バネＡ６の弾力を受けて上方向へ付勢され、同時にハンマー左スイッチＣ４の当接面Ｃ１７がハンマー座部弾性片Ｈの第一弾性部Ｈ１の弾力を受け、ハンマー左スイッチＣ４がハンマーＢの第一嵌合部Ｂ３内へと押され、且つ相互に嵌合される。
【００１６】
図４、図５及び図６に示すように、続いてハンマー右スイッチＣ３とハンマー連動片Ｃ２もまたハンマー座部弾性片Ｈの第三弾性部Ｈ３（図２参照）を介して内側へ押され、ハンマー右スイッチＣ３の嵌合部Ｃ１９とハンマーＢの第二嵌合部Ｂ４（図２参照）が相互に嵌合される。
【００１７】
図１２、図１３及び図１４に示すように、このとき、ハンマー左スイッチＣ４の嵌合部Ｃ３０とハンマーＢの第一嵌合部Ｂ３には間隙が生まれるが、この間隙はハンマー左スイッチＣ４の寿命を延ばすためのものである。続いてスライドＡ２が後方から始めの位置へ戻るとき、ハンマー開放部材Ｃ５の受圧部Ｃ１０がスライドＡ２のスライド槽Ａ７に沿い、ハンマー開放部材Ｃ５が下方向へ押され、ハンマー開放部材Ｃ５の押し棒Ｃ１２がハンマー左スイッチＣ４の軸棒Ｃ１６（図２参照）に当接され、ハンマー左スイッチＣ４とハンマーＢが分離されてハンマーＢが発射位置にくる。
【００１８】
図４、図５及び図６に示すように、続いてトリガーＡ４を引くと、トリガー連結部材Ｃ１の突起体Ｃ８がハンマー連動片Ｃ２の第二接触面Ｃ２４下に滑動し、且つ、突起体Ｃ８と第二接触面Ｃ２４に間隙が生まれ、トリガー連結部材Ｃ１の突起体Ｃ８がハンマー連動片Ｃ２を動作させることができなくなり、これによりハンマーＢの第二嵌合部Ｂ４（図２参照）とハンマー右スイッチＣ３の嵌合部Ｃ１９の嵌合が継続され、ハンマーＢがファイアリングピン連結部材Ｃ６のファイア面Ｃ２７に当たらないようになり、エアガンＡを発射することができず、エアガンＡのセーフティオン状態が得られる。
【００１９】
図４、図７、図８及び図９に示すように、エアガンＡで単発射撃を行ないたいときは、左セーフティ片Ｅを単発機能の位置に回転させると、左セーフティ片Ｅが同時に嵌合槽Ｅ２を動かし、且つハンマー連動片Ｃ２の牽動部Ｃ２１を下圧させてハンマー連動片Ｃ２が単発位置にくる。
【００２０】
図１２、図１３及び図１４に示すように、使用者がスライドＡ２を後方へ引くと、ハンマー開放部材Ｃ５が圧縮バネＡ６の弾力で上方向へ押され、且つ、ハンマー開放部材Ｃ５の受圧部Ｃ１０がスライドＡ２のスライド槽Ａ７に沿って内部へと延伸され、同時にハンマー左スイッチＣ４がハンマー座部弾性片Ｈの第一弾性部Ｈ１により内側へ押されてハンマー左スイッチＣ４の嵌合部Ｃ３０がハンマーＢの第一嵌合部Ｂ３内へと延伸され、且つ相互に嵌合される。
【００２１】
図４、図７、図８及び図９に示すように、続いてハンマー右スイッチＣ３とハンマー連動片Ｃ２もまたハンマー座部弾性片Ｈの第三弾性部Ｈ３（図２参照）を介して内側へ押され、ハンマー右スイッチＣ３の嵌合部Ｃ１９とハンマーＢの第二嵌合部Ｂ４（図２参照）が相互に嵌合される。
【００２２】
図１２、図１３及び図１４に示すように、このとき、ハンマー左スイッチＣ４の嵌合部Ｃ３０とハンマーＢの第一嵌合部Ｂ３には間隙が生まれるが、この間隙はハンマー左スイッチＣ４の寿命を延ばすためのものである。且つ、ハンマー座部弾性片Ｈの第二弾性部Ｈ２はそのものの弾力によりファイアリングピン連動座部Ｄ１を動かし、さらにファイアリングピン連動座部Ｄ１がファイアリングピンＤを動かし、同時にファイアリングピンスイッチＣ７の受圧体Ｃ１４がスライドＡ２の当置槽Ａ９に沿い、且つファイアリングピンスイッチＣ７を下方向へ押し、且つファイアリングピンＤとマガジンＩのエアバルブＩ１が分離され、エアバルブＩ１を閉状態とし、続いてスライドＡ２が後方から始めの位置へ戻るとき、ハンマーＢの第二嵌合部Ｂ４（図２参照）とハンマー右スイッチＣ３（図２参照）の嵌合部Ｃ１９（図２参照）の嵌合が継続され、同時にハンマー開放部材Ｃ５がスライドＡ２のスライド槽Ａ７に沿い、ハンマー開放部材Ｃ５が下方向へ押され、ハンマー開放部材Ｃ５の押し棒Ｃ１２がハンマー左スイッチＣ４の軸棒Ｃ１６（図２参照）に当接され、ハンマー左スイッチＣ４とハンマーＢが分離されると共に、ファイアリングピンスイッチＣ７の受圧体Ｃ１４がスプリングＡ１０の弾力を受けファイアリングピンスイッチＣ７が上方向へ押し当てられる。
【００２３】
図４、図７、図８及び図９に示すように、これによりハンマーＢが発射位置に配置され、且つ、トリガーＡ４を引いたとき、トリガーＡ４が発射状態に保持され、トリガー連結部材Ｃ１の突起体Ｃ８がまずハンマー連動片Ｃ２の第一接触面Ｃ２３に当接され、同時にハンマー連動片Ｃ２がハンマー右スイッチＣ３を動かし、ハンマー右スイッチＣ３の嵌合部Ｃ１９がハンマーＢの第二嵌合部Ｂ４（図２参照）と分離され、このときハンマーＢが開放されて初期状態を回復し、ハンマーＢの衝突部Ｂ２がファイアリングピン連結部材Ｃ６のファイア面Ｃ２７に衝突し、このファイアリングピン連結部材Ｃ６がファイアリングピンＤ（図１３参照）を動かし、且つファイアリングピンＤ（図１３参照）がエアバルブＩ１上に押し当てられ、エアバルブＩ１が開状態となり、これによりエアバルブＩ１から出る空気がスライドＡ２を動かし、スライドＡ２がフレームＡ１で滑動するとき、このスライドＡ２のスライドレールＡ８がトリガー連結部材Ｃ１の突出部Ｃ９を下方向へ押し、且つトリガー連結部材Ｃ１の突出部Ｃ９をハンマー連動片Ｃ２の第二接触面Ｃ２４の下縁へ滑動させてトリガー連結部材Ｃ１とハンマー連動片Ｃ２を離脱させる。再度発射したい場合はトリガーＡ４をもう一度引く必要がある。
【００２４】
図４、図１０及び図１１に示すように、エアガンＡで連続射撃を行ないたいときは、左セーフティ片Ｅを連発機能の位置に回転させると、左セーフティ片Ｅが同時に嵌合槽Ｅ２を動かし、且つハンマー連動片Ｃ２の牽動部Ｃ２１を下圧させてハンマー連動片Ｃ２が連発位置にくる。
【００２５】
図１２、図１３及び図１４に示すように、使用者がスライドＡ２を後方へ引くと、ハンマー開放部材Ｃ５が圧縮バネＡ６の弾力で上方向へ押され、且つ、ハンマー開放部材Ｃ５の受圧部Ｃ１０がスライドＡ２のスライド槽Ａ７に沿って内部へと延伸され、同時にハンマー左スイッチＣ４がハンマー座部弾性片Ｈの第一弾性部Ｈ１により内側へ押されてハンマー左スイッチＣ４の嵌合部Ｃ３０がハンマーＢの第一嵌合部Ｂ３内へと延伸され、且つ相互に嵌合される。
【００２６】
図４、図１０及び図１１に示すように、続いてハンマー右スイッチＣ３とハンマー連動片Ｃ２もまたハンマー座部弾性片Ｈの第三弾性部Ｈ３（図２参照）を介して内側へ押され、ハンマー右スイッチＣ３の嵌合部Ｃ１９とハンマーＢの第二嵌合部Ｂ４が相互に嵌合される。
【００２７】
図１２、図１３及び図１４に示すように、このとき、ハンマー左スイッチＣ４の嵌合部Ｃ３０とハンマーＢの第一嵌合部Ｂ３には間隙が生まれるが、この間隙はハンマー左スイッチＣ４の寿命を延ばすためのものである。且つ、ハンマー座部弾性片Ｈの第二弾性部Ｈ２はそのものの弾力によりファイアリングピン連動座部Ｄ１を動かし、ファイアリングピン連動座部Ｄ１がさらにファイアリングピンＤを動かし、同時にファイアリングピンスイッチＣ７の受圧体Ｃ１４がスライドＡ２の当置槽Ａ９に沿い、且つファイアリングピンスイッチＣ７を下方向へ押し、且つファイアリングピンＤとマガジンＩのエアバルブＩ１が分離され、エアバルブＩ１を閉状態とし、続いてスライドＡ２が後方から始めの位置へ戻るとき、ハンマーＢの第二嵌合部Ｂ４（図２参照）とハンマー右スイッチＣ３（図２参照）の嵌合部Ｃ１９（図２参照）の嵌合が継続され、同時にハンマー開放部材Ｃ５がスライドＡ２のスライド槽Ａ７に沿い、ハンマー開放部材Ｃ５が下方向へ押され、ハンマー開放部材Ｃ５の押し棒Ｃ１２がハンマー左スイッチＣ４の軸棒Ｃ１６（図２参照）に当接され、ハンマー左スイッチＣ４とハンマーＢが分離されると共に、ファイアリングピンスイッチＣ７の受圧体Ｃ１４がスプリングＡ１０の弾力を受け、ファイアリングピンスイッチＣ７が上方向へ押し当てられる。
【００２８】
図４、図１０及び図１１に示すように、これによりハンマーＢが発射位置に配置され、且つ、続いてトリガーＡ４を引いたとき、トリガーＡ４が発射状態に保持され、トリガー連結部材Ｃ１の突起体Ｃ８がハンマー連動片Ｃ２の第一接触面Ｃ２３で動作し、同時にハンマー連動片Ｃ２がハンマー右スイッチＣ３を動かし、ハンマー右スイッチＣ３の嵌合部Ｃ１９がハンマーＢの第二嵌合部Ｂ４（図２参照）と分離された状態が保持され、このときハンマーＢが初期状態を回復し、ハンマーＢの衝突部Ｂ２がファイアリングピン連結部材Ｃ６のファイア面Ｃ２７に衝突し、このファイアリングピン連結部材Ｃ６がファイアリングピンＤ（図１３参照）を動かし、且つファイアリングピンＤ（図１３参照）がエアバルブＩ１上に押し当てられ、エアバルブＩ１が開状態となり、これによりエアバルブＩ１から出る空気がスライドＡ２を動かし、トリガー連結部材Ｃ１の突出部Ｃ９は持続してハンマー連動片Ｃ２の第一接触面Ｃ２３に押し当てられる。
【００２９】
図１２、図１３及び図１４に示すように、且つハンマー開放部材Ｃ５の受圧部Ｃ１０がスライドＡ２のスライド槽Ａ７内で動作を継続し、同時にファイアリングピンスイッチＣ７の受圧体Ｃ１４もスライドＡ２の当置槽Ａ９内で動作を継続する。これによりスライドＡ２が往復の動作を持続することができ、エアガンＡを連発の状態にすることができる。
【００３０】
図１４に示すように、ファイアリングピンスイッチＣ７はファイアリングピンＤがエアバルブＩ１に押し当てられるときの空気が出る時間の制御に用いられ、これによりエアガンＡの発射の安定性を得ることができる。
【００３１】
以上で述べた説明は本考案の最良の実施例に基づくものであり、本考案の特許範囲を制限するものではなく、本考案の明細書及び図面の内容を運用した同等効果を得る構造を直接的または間接的にその他関連技術領域に応用したものはすべて本考案の要旨の範囲内に含まれるものとみなす。
【００３２】
上述のように、本考案は先行技術を打破する構造の下、確実にその増進を図る効果を達成することができ、且つ、関連技術者が容易に思いつくものではなく、さらに、本考案はその出願前に公開されたことがなく、進歩性と実用性を兼ね備えており、実用新案登録出願の要件を満たしているため、法に基づきここに実用新案登録を出願するものである。
【図面の簡単な説明】
【００３３】
【図１】本考案の立体図である。
【図２】本考案の立体分解図である。
【図３】本考案の実施例図の一である。
【図４】本考案の実施例図の二である。
【図５】本考案の実施例図の三である。
【図６】本考案の実施例図の四である。
【図７】本考案の実施例図の五である。
【図８】本考案の実施例図の六である。
【図９】本考案の実施例図の七である。
【図１０】本考案の実施例図の八である。
【図１１】本考案の実施例図の九である。
【図１２】本考案の実施例図の十である。
【図１３】本考案の実施例図の十一である。
【図１４】本考案の実施例図の十二である。
【符号の説明】
【００３４】
Ａ        エアガン              
Ａ１      フレーム
Ａ２      スライド
Ａ３      グリップ
Ａ４      トリガー
Ａ５      軸挿入孔
Ａ６      圧縮バネ
Ａ７      スライド槽    
Ａ８      スライドレール
Ａ９      当置槽
Ａ１０    スプリング
Ｂ        ハンマー              
Ｂ１      孔槽
Ｂ２      衝突部
Ｂ３      第一嵌合部
Ｂ４      第二嵌合部
Ｃ        射撃制御機構
Ｃ１      トリガー連結部材
Ｃ２      ハンマー連動片
Ｃ３      ハンマー右スイッチ
Ｃ４      ハンマー左スイッチ
Ｃ５      ハンマー開放部材
Ｃ６      ファイアリングピン連結部材
Ｃ７      ファイアリングピンスイッチ
Ｃ８      突起体
Ｃ９      突出部            
Ｃ１０    受圧部          
Ｃ１１、Ｃ１３    軸穿通孔
Ｃ１２    押し棒
Ｃ１４    受圧体
Ｃ１５、Ｃ２９    軸孔
Ｃ１６、Ｃ１８    軸棒
Ｃ１７、Ｄ６    当接面
Ｃ１９、Ｃ３０    嵌合部
Ｃ２０、Ｄ５    通孔
Ｃ２１    牽動部
Ｃ２２    軸スライド孔
Ｃ２３    第一接触面
Ｃ２４    第二接触面
Ｃ２５    長軸孔
Ｃ２６、Ｄ４    軸心孔
Ｃ２７    ファイア面
Ｃ２８      小孔
Ｄ        ファイアリングピン
Ｄ１      ファイアリングピン連動座部
Ｄ２      固定リング
Ｄ３      ファイアリングピン軸心
Ｅ        左セーフティ片
Ｅ１      右セーフティ片
Ｅ２      嵌合槽
Ｆ        セーフティ固定具
Ｆ１      右セーフティ片固定部材
Ｇ        バレル
Ｇ１      上軸穿通孔
Ｇ２      溝槽
Ｇ３      凹部
Ｇ４      下軸穿通孔
Ｇ５      前軸棒
Ｈ        ハンマー座部弾性片
Ｈ１      第一弾性部
Ｈ２      第二弾性部
Ｈ３      第三弾性部
Ｉ        マガジン
Ｉ１      エアバルブ
【図１】
0003129984.tif 000003
【図２】
0003129984.tif 000004
【図３】
0003129984.tif 000005
【図４】
0003129984.tif 000006
【図５】
0003129984.tif 000007
【図６】
0003129984.tif 000008
【図７】
0003129984.tif 000009
【図８】
0003129984.tif 000010
【図９】
0003129984.tif 000011
【図１０】
0003129984.tif 000012
【図１１】
0003129984.tif 000013
【図１２】
0003129984.tif 000014
【図１３】
0003129984.tif 000015
【図１４】
0003129984.tif 000016